(57)【要約】【課題】高速駆動ラインのスループットが改善され、高速駆動ラインの帯域幅が向上されて、伝送速度を低下させても目標データ量を伝送でき、伝送速度改善に応じる消費電力を改善することのできる表示装置及びその駆動方法を提供する。【解決手段】本発明の表示装置は、映像を表示する表示パネルと、ライン設定信号、フレーム設定信号、及び映像信号を出力するタイミングコントローラと、各々がライン設定信号、フレーム設定信号、及び映像信号を受信し、各々がライン設定信号及びフレーム設定信号に基づいて映像信号に対応するデータ電圧を表示パネルに提供する複数のデータドライバーと、タイミングコントローラと複数のデータドライバーの中の１つとを接続し、映像信号を伝送する複数の高速駆動ラインと、タイミングコントローラと各データドライバーとを共通接続し、ライン設定信号を伝送する低速駆動ラインと、を有する。【選択図】  図４
2018072829.tif 000002
【特許請求の範囲】
【請求項１】
映像を表示する表示パネルと、
ライン設定信号、フレーム設定信号、及び映像信号を出力するタイミングコントローラと、
各々が前記ライン設定信号、前記フレーム設定信号、及び前記映像信号を受信し、各々が前記ライン設定信号及び前記フレーム設定信号に基づいて前記映像信号に対応するデータ電圧を前記表示パネルに提供する複数のデータドライバーと、
前記タイミングコントローラと前記複数のデータドライバーの中の１つとを接続し、前記映像信号を伝送する複数の高速駆動ラインと、
前記タイミングコントローラと前記各データドライバーとを共通接続し、前記ライン設定信号を伝送する低速駆動ラインと、を有することを特徴とする表示装置。
【請求項２】
前記タイミングコントローラは、前記映像信号をラインデータ単位に出力し、
前記ライン設定信号の中の（ｎ＋１）番目（ｎは自然数）のライン設定信号は、前記ラインデータの中のｎ番目のラインデータが出力される区間と重畳するように出力されるか、又は前記ラインデータの中のｎ番目のラインデータが出力される区間の前に出力されることを特徴とする請求項１に記載の表示装置。
【請求項３】
前記複数のデータドライバーは、２つの前記ライン設定信号が印加される区間の間に前記低速駆動ラインを通じてリンク状態信号を前記タイミングコントローラに伝送することを特徴とする請求項１に記載の表示装置。
【請求項４】
前記タイミングコントローラは、前記映像信号をラインデータ単位に出力し、
前記ラインデータは、ラインセグメント単位に伝送され、
前記ライン設定信号は、ライン設定セグメント単位に伝送され、
１つのライン設定セグメントは、前記複数のラインセグメントに同期されて伝送されることを特徴とする請求項１に記載の表示装置。
【請求項５】
前記タイミングコントローラは、垂直駆動区間の間に前記映像信号の中の１つのフレームに該当する映像信号を伝送した後、垂直ブランク区間の間に前記高速駆動ラインを通じて前記フレーム設定信号を伝送することを特徴とする請求項１に記載の表示装置。
【請求項６】
前記タイミングコントローラは、前記低速駆動ラインを通じて前記フレーム設定信号を伝送することを特徴とする請求項１に記載の表示装置。
【請求項７】
前記フレーム設定信号は、第１及び第２フレーム設定信号を含み、
前記第１フレーム設定信号は、１つのフレームに該当する前記映像信号をデータ電圧に出力する時に必要である前記データドライバーの設定情報の一部を有し、前記第２フレーム設定信号は、前記設定情報のその他の部分を有し、
前記タイミングコントローラは、前記高速駆動ラインを通じて前記第１フレーム設定信号を伝送し、前記低速駆動ラインを通じて前記第２フレーム設定信号を伝送することを特徴とする請求項１に記載の表示装置。
【請求項８】
前記高速駆動ラインと前記低速駆動ラインとは、互いに異なるインターフェイスを有し、
前記高速駆動ラインは、前記低速駆動ラインに比べてさらに高い伝送効率を有することを特徴とする請求項１に記載の表示装置。
【請求項９】
映像を表示する表示パネルと、
受信したライン設定信号をコーディングしてハイレベルとローレベルとを有するコーディングライン設定信号を生成し、前記コーディングライン設定信号、フレーム設定信号、及び映像信号を出力するタイミングコントローラと、
各々が前記コーディングライン設定信号、前記フレーム設定信号、及び前記映像信号を受信し、各々が前記コーディングライン設定信号及び前記フレーム設定信号に基づいて前記映像信号に対応するデータ電圧を前記表示パネルに提供する複数のデータドライバーと、
前記タイミングコントローラと前記複数のデータドライバーの中の１つとを接続し、前記映像信号を伝送する複数の高速駆動ラインと、
前記タイミングコントローラと前記各データドライバーとを共通接続し、前記コーディングライン設定信号を伝送する低速駆動ラインとを有することを特徴とする表示装置。
【請求項１０】
前記タイミングコントローラは、前記ライン設定信号に基づいて前記データドライバーとリンク状態情報をセンシングすることを特徴とする請求項９に記載の表示装置。
【請求項１１】
タイミングコントローラで、複数の高速駆動ラインを通じて映像信号を複数のデータドライバーに伝送する段階と、
タイミングコントローラで、低速駆動ラインを通じてライン設定信号を複数のデータドライバーに伝送する段階と、
前記データドライバーで、前記ライン設定信号に基づいて前記映像信号に対応するデータ電圧を表示パネルに提供する段階と、
前記表示パネルで、前記データ電圧に対応する映像を表示する段階と、を有することを特徴とする表示装置の駆動方法。
【請求項１２】
前記複数の高速駆動ラインを通じて前記映像信号を前記複数のデータドライバーに伝送する段階は、前記映像信号をラインデータ単位に伝送する段階を含み、
前記低速駆動ラインを通じて前記ライン設定信号を前記複数のデータドライバーに伝送する段階は、前記ライン設定信号の中の（ｎ＋１）番目（ｎは自然数）のライン設定信号を前記ラインデータの中のｎ番目のラインデータが出力される区間と重畳するように出力する段階を含むことを特徴とする請求項１１に記載の表示装置の駆動方法。
【請求項１３】
前記ラインデータは、ラインセグメント単位に伝送され、
前記ライン設定信号は、ライン設定セグメント単位に伝送され、
１つのライン設定セグメントは、前記複数のラインセグメントに同期されて伝送されることを特徴とする請求項１２に記載の表示装置の駆動方法。
【請求項１４】
前記複数のデータドライバーで、前記低速駆動ラインを通じてリンク状態信号を前記タイミングコントローラに提供する段階をさらに含むことを特徴とする請求項１１に記載の表示装置の駆動方法。
【請求項１５】
前記タイミングコントローラで、前記高速駆動ラインを通じてフレーム設定信号を前記複数のデータドライバーに伝送する段階をさらに有し、
前記複数のデータドライバーは、前記フレーム設定信号にさらに基づいて前記映像信号に対応するデータ電圧を前記表示パネルに提供することを特徴とする請求項１１に記載の表示装置の駆動方法。
【請求項１６】
前記タイミングコントローラで、前記低速駆動ラインを通じてフレーム設定信号を前記複数のデータドライバーに伝送する段階をさらに有し、
前記複数のデータドライバーは、前記フレーム設定信号にさらに基づいて前記映像信号に対応するデータ電圧を前記表示パネルに提供することを特徴とする請求項１１に記載の表示装置の駆動方法。
【請求項１７】
前記タイミングコントローラで、前記高速駆動ラインを通じてフレーム設定信号の一部を複数のデータドライバーに伝送する段階をさらに有し、
前記タイミングコントローラで、前記低速駆動ラインを通じて前記フレーム設定信号のその他の部分を複数のデータドライバーに伝送する段階をさらに有し、
前記複数のデータドライバーは、前記フレーム設定信号にさらに基づいて前記映像信号に対応するデータ電圧を前記表示パネルに提供することを特徴とする請求項１１に記載の表示装置の駆動方法。
【請求項１８】
タイミングコントローラで、複数の高速駆動ラインを通じて映像信号及びライン設定信号の一部を複数のデータドライバーに伝送する段階と、
タイミングコントローラで、低速駆動ラインを通じて前記ライン設定信号のその他の部分を複数のデータドライバーに伝送する段階と、
前記データドライバーで、前記ライン設定信号に基づいて前記映像信号に対応するデータ電圧を表示パネルに提供する段階と、
前記表示パネルで、前記データ電圧に対応する映像を表示する段階と、を有することを特徴とする表示装置の駆動方法。
【請求項１９】
前記複数のデータドライバーで、前記低速駆動ラインを通じてリンク状態信号を前記タイミングコントローラに提供する段階をさらに含むことを特徴とする請求項１８に記載の表示装置の駆動方法。
【請求項２０】
前記タイミングコントローラで、前記高速駆動ライン又は前記低速駆動ラインを通じてフレーム設定信号を前記複数のデータドライバーに伝送する段階をさらに有し、
前記複数のデータドライバーは、前記フレーム設定信号にさらに基づいて前記映像信号に対応するデータ電圧を前記表示パネルに提供することを特徴とする請求項１８に記載の表示装置の駆動方法。
【発明の詳細な説明】
【技術分野】
【０００１】
本発明は表示装置及びその駆動方法に関し、特に、高速駆動ラインの帯域幅を向上させ、伝送速度改善に応じる消費電力が改善される表示装置及びその駆動方法に関する。
【背景技術】
【０００２】
表示装置は、データラインにデータ電圧を供給するためのソースドライブ集積回路、表示パネルのゲートラインにゲートパルス（又はスキャンパルス）を順次的に供給するためのゲートドライブ集積回路、及びドライブ集積回路を制御するためのタイミングコントローラ等を具備する。
【０００３】
近年、タブレット、スマートフォン、モニターにおいて、高解像度で、高いフレームレート（ｈｉｇｈ  ｆｒａｍｅ  ｒａｔｅ）の製品需要が増加している。
したがって、ドライブ集積回路の伝送速度を改善しようとする研究が進行しているが、インターフェイス及び集積回路の物理的な限界によって伝送速度を改善するのが難しいという問題がある。
【先行技術文献】
【特許文献】
【０００４】
【特許文献１】米国特許第９，０５３，６７３号明細書
【特許文献２】米国特許第９，５２４，６９３号明細書
【特許文献３】韓国特許第１０−０９１９７０８号明細書
【特許文献４】韓国特許公開第１０−２０１５−００７５６４０号公報
【特許文献５】韓国特許公開第１０−２０１０−０００７６２８号公報
【発明の概要】
【発明が解決しようとする課題】
【０００５】
本発明は上記従来の表示装置における問題点に鑑みてなされたものであって、本発明の目的は、タイミングコントローラが低速駆動ラインを通じてライン設定信号を伝送することにより高速駆動ラインのスループットが改善され、高速駆動ラインの帯域幅が向上されて、伝送速度を低下させても目標データ量を伝送でき、伝送速度改善に応じる消費電力を改善することのできる表示装置及びその駆動方法を提供することにある。
【課題を解決するための手段】
【０００６】
上記目的を達成するためになされた本発明による表示装置は、映像を表示する表示パネルと、ライン設定信号、フレーム設定信号、及び映像信号を出力するタイミングコントローラと、各々が前記ライン設定信号、前記フレーム設定信号、及び前記映像信号を受信し、各々が前記ライン設定信号及び前記フレーム設定信号に基づいて前記映像信号に対応するデータ電圧を前記表示パネルに提供する複数のデータドライバーと、前記タイミングコントローラと前記複数のデータドライバーの中の１つとを接続し、前記映像信号を伝送する複数の高速駆動ラインと、前記タイミングコントローラと前記各データドライバーとを共通接続し、前記ライン設定信号を伝送する低速駆動ラインと、を有することを特徴とする。
【０００７】
前記タイミングコントローラは、前記映像信号をラインデータ単位に出力し、前記ライン設定信号の中の（ｎ＋１）番目（ｎは自然数）のライン設定信号は、前記ラインデータの中のｎ番目のラインデータが出力される区間と重畳するように出力されるか、又は前記ラインデータの中のｎ番目のラインデータが出力される区間の前に出力されることが好ましい。
前記複数のデータドライバーは、２つの前記ライン設定信号が印加される区間の間に前記低速駆動ラインを通じてリンク状態信号を前記タイミングコントローラに伝送することが好ましい。
前記タイミングコントローラは、前記映像信号をラインデータ単位に出力し、前記ラインデータは、ラインセグメント単位に伝送され、前記ライン設定信号は、ライン設定セグメント単位に伝送され、１つのライン設定セグメントは、前記複数のラインセグメントに同期されて伝送されることが好ましい。
前記タイミングコントローラは、垂直駆動区間の間に前記映像信号の中の１つのフレームに該当する映像信号を伝送した後、垂直ブランク区間の間に前記高速駆動ラインを通じて前記フレーム設定信号を伝送することが好ましい。
前記タイミングコントローラは、前記低速駆動ラインを通じて前記フレーム設定信号を伝送することが好ましい。
前記フレーム設定信号は、第１及び第２フレーム設定信号を含み、前記第１フレーム設定信号は、１つのフレームに該当する前記映像信号をデータ電圧に出力する時に必要である前記データドライバーの設定情報の一部を有し、前記第２フレーム設定信号は、前記設定情報のその他の部分を有し、前記タイミングコントローラは、前記高速駆動ラインを通じて前記第１フレーム設定信号を伝送し、前記低速駆動ラインを通じて前記第２フレーム設定信号を伝送することが好ましい。
前記高速駆動ラインと前記低速駆動ラインとは、互いに異なるインターフェイスを有し、前記高速駆動ラインは、前記低速駆動ラインに比べてさらに高い伝送効率を有することが好ましい。
【０００８】
また、上記目的を達成するためになされた本発明による表示装置は、映像を表示する表示パネルと、受信したライン設定信号をコーディングしてハイレベルとローレベルとを有するコーディングライン設定信号を生成し、前記コーディングライン設定信号、フレーム設定信号、及び映像信号を出力するタイミングコントローラと、各々が前記コーディングライン設定信号、前記フレーム設定信号、及び前記映像信号を受信し、各々が前記コーディングライン設定信号及び前記フレーム設定信号に基づいて前記映像信号に対応するデータ電圧を前記表示パネルに提供する複数のデータドライバーと、前記タイミングコントローラと前記複数のデータドライバーの中の１つとを接続し、前記映像信号を伝送する複数の高速駆動ラインと、前記タイミングコントローラと前記各データドライバーとを共通接続し、前記コーディングライン設定信号を伝送する低速駆動ラインとを有することを特徴とする。
【０００９】
前記タイミングコントローラは、前記ライン設定信号に基づいて前記データドライバーとリンク状態情報をセンシングすることが好ましい。
【００１０】
上記目的を達成するためになされた本発明による表示装置の駆動方法は、タイミングコントローラで、複数の高速駆動ラインを通じて映像信号を複数のデータドライバーに伝送する段階と、タイミングコントローラで、低速駆動ラインを通じてライン設定信号を複数のデータドライバーに伝送する段階と、前記データドライバーで、前記ライン設定信号に基づいて前記映像信号に対応するデータ電圧を表示パネルに提供する段階と、前記表示パネルで、前記データ電圧に対応する映像を表示する段階と、を有することを特徴とする。
【００１１】
前記複数の高速駆動ラインを通じて前記映像信号を前記複数のデータドライバーに伝送する段階は、前記映像信号をラインデータ単位に伝送する段階を含み、前記低速駆動ラインを通じて前記ライン設定信号を前記複数のデータドライバーに伝送する段階は、前記ライン設定信号の中の（ｎ＋１）番目（ｎは自然数）のライン設定信号を前記ラインデータの中のｎ番目のラインデータが出力される区間と重畳するように出力する段階を含むことが好ましい。
前記ラインデータは、ラインセグメント単位に伝送され、前記ライン設定信号は、ライン設定セグメント単位に伝送され、１つのライン設定セグメントは、前記複数のラインセグメントに同期されて伝送されることが好ましい。
前記複数のデータドライバーで、前記低速駆動ラインを通じてリンク状態信号を前記タイミングコントローラに提供する段階をさらに含むことが好ましい。
前記タイミングコントローラで、前記高速駆動ラインを通じてフレーム設定信号を前記複数のデータドライバーに伝送する段階をさらに有し、前記複数のデータドライバーは、前記フレーム設定信号にさらに基づいて前記映像信号に対応するデータ電圧を前記表示パネルに提供することが好ましい。
前記タイミングコントローラで、前記低速駆動ラインを通じてフレーム設定信号を前記複数のデータドライバーに伝送する段階をさらに有し、前記複数のデータドライバーは、前記フレーム設定信号にさらに基づいて前記映像信号に対応するデータ電圧を前記表示パネルに提供することが好ましい。
前記タイミングコントローラで、前記高速駆動ラインを通じてフレーム設定信号の一部を複数のデータドライバーに伝送する段階をさらに有し、前記タイミングコントローラで、前記低速駆動ラインを通じて前記フレーム設定信号のその他の部分を複数のデータドライバーに伝送する段階をさらに有し、前記複数のデータドライバーは、前記フレーム設定信号にさらに基づいて前記映像信号に対応するデータ電圧を前記表示パネルに提供することが好ましい。
【００１２】
また、上記目的を達成するためになされた本発明による表示装置の駆動方法は、タイミングコントローラで、複数の高速駆動ラインを通じて映像信号及びライン設定信号の一部を複数のデータドライバーに伝送する段階と、タイミングコントローラで、低速駆動ラインを通じて前記ライン設定信号のその他の部分を複数のデータドライバーに伝送する段階と、前記データドライバーで、前記ライン設定信号に基づいて前記映像信号に対応するデータ電圧を表示パネルに提供する段階と、前記表示パネルで、前記データ電圧に対応する映像を表示する段階と、を有することを特徴とする。
【００１３】
前記複数のデータドライバーで、前記低速駆動ラインを通じてリンク状態信号を前記タイミングコントローラに提供する段階をさらに含むことが好ましい。
前記タイミングコントローラで、前記高速駆動ライン又は前記低速駆動ラインを通じてフレーム設定信号を前記複数のデータドライバーに伝送する段階をさらに有し、前記複数のデータドライバーは、前記フレーム設定信号にさらに基づいて前記映像信号に対応するデータ電圧を前記表示パネルに提供することが好ましい。
【発明の効果】
【００１４】
本発明に係る表示装置及びその駆動方法によれば、タイミングコントローラが低速駆動ラインを通じてライン設定信号を伝送することによって、高速駆動ラインのスループット（ｔｈｒｏｕｇｈｐｕｔ）が改善されるという効果がある。
また、高速駆動ラインの帯域幅（ｂａｎｄｗｉｄｔｈ）が向上されて、伝送速度を低下させても目標データ量を伝送できるので、伝送速度改善に応じる消費電力が改善されるという効果がある。
【図面の簡単な説明】
【００１５】
【図１】本発明の実施形態に係る表示装置の概略的な構成を示すブロック図である。
【図２】図１に示した１つの画素の等価回路図である。
【図３】図１のタイミングコントローラとデータドライバーとの構成を示すブロック図である。
【図４】本発明の実施形態に係る動作シークェンスを示す図である。
【図５】本発明の第１の実施形態に係る表示装置で、フレームの間に高速駆動ラインと低速駆動ラインとに印加されるデータを示す図である。
【図６】図５で１つの水平駆動区間とその隣接する区間との間に高速駆動ラインと低速駆動ラインとに印加されるデータを示す図である。
【図７】本発明の第２の実施形態に係る表示装置で、フレームの間に高速駆動ラインと低速駆動ラインとに印加されるデータを示す図である。
【図８】図７で１つの水平駆動区間とその隣接する区間との間に高速駆動ラインと低速駆動ラインとに印加されるデータを示す図である。
【図９】本発明の一実施形態に係る、メインクロック信号、ライン設定信号、及びコーディングライン設定信号を示す波形図である。
【図１０】本発明の第３の実施形態に係る表示装置で、フレームの間に高速駆動ラインと低速駆動ラインとに印加されるデータを示す図である。
【図１１】本発明の第４の実施形態に係る表示装置で、フレームの間に高速駆動ラインと低速駆動ラインとに印加されるデータを示す図である。
【図１２】本発明の第５の実施形態に係る表示装置で、フレームの間に高速駆動ラインと低速駆動ラインとに印加されるデータを示す図である。
【図１３】本発明の第１の実施形態に係る表示装置の駆動方法を説明するためのフローチャートである。
【図１４】本発明の第２の実施形態に係る表示装置の駆動方法を説明するためのフローチャートである。
【図１５】本発明の第３の実施形態に係る表示装置の駆動方法を説明するためのフローチャートである。
【図１６】本発明の第４の実施形態に係る表示装置の駆動方法を説明するためのフローチャートである。
【図１７】本発明の第５の実施形態に係る表示装置の駆動方法を説明するためのフローチャートである。
【図１８】本発明の第６の実施形態に係る表示装置の駆動方法を説明するためのフローチャートである。
【発明を実施するための形態】
【００１６】
次に、本発明に係る表示装置及びその駆動方法を実施するための形態の具体例を図面を参照しながら説明する。
【００１７】
本発明は多様な変更を加えることができ、様々な形態を有することができるので、特定な実施形態を図面に例示し、本文で詳細に説明する。
しかし、これは本発明を特定な開示形態に対して限定しようとすることではなく、本発明の思想及び技術範囲に含まれるすべての変更、均等物乃至代替物を含むこととして理解されるべきである。
【００１８】
図１は、本発明の実施形態に係る表示装置の概略的な構成を示すブロック図であり、図２は図１に示した１つの画素の等価回路図である。
図１に示すように、本発明の実施形態に係る表示装置１０００は、表示パネル１００、タイミングコントローラ２００、ゲートドライバー３００、及びデータドライバー４００を含む。
【００１９】
表示パネル１００は映像を表示する。
表示パネル１００は、有機発光表示パネル（ｏｒｇａｎｉｃ  ｌｉｇｈｔ  ｅｍｉｔｔｉｎｇ  ｄｉｓｐｌａｙ  ｐａｎｅｌ）、液晶表示パネル（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電氣泳動表示パネル（ｅｌｅｃｔｒｏｐｈｏｒｅｔｉｃ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等の多様な表示パネルであってもよい。
以下においては表示パネル１００を液晶表示パネルとして例示的に説明する。
【００２０】
表示パネル１００は、下部基板１１０、下部基板１１０に対向する上部基板１２０、及び下部基板１１０と上部基板１２０の間に配置された液晶層１３０を含む。
表示パネル１００は第１方向ＤＲ１に延長される複数のゲートライン（ＧＬ１〜ＧＬｍ）と第１方向ＤＲ１に交差する第２方向ＤＲ２に延長される複数のデータライン（ＤＬ１〜ＤＬｎ）とを含む。
ゲートライン（ＧＬ１〜ＧＬｍ）及びデータライン（ＤＬ１〜ＤＬｎ）は、画素領域を定義し、画素領域の各々には映像を表示する画素ＰＸが具備される。
図１には第１ゲートラインＧＬ１と第１データラインＤＬ１とに接続された画素ＰＸを一例として示す。
【００２１】
画素ＰＸは、薄膜トランジスタＴＲ、液晶キャパシタ（ｌｉｑｕｉｄ  ｃｒｙｓｔａｌ  ｃａｐａｃｉｔｏｒ）Ｃｌｃ、及びストレージキャパシタ（ｓｔｏｒａｇｅ  ｃａｐａｃｉｔｏｒ）Ｃｓｔを含む。
薄膜トランジスタＴＲは、ゲートライン（ＧＬ１〜ＧＬｍ）の中の１つ、及びデータライン（ＤＬ１〜ＤＬｎ）の中の１つと接続される。
液晶キャパシタＣｌｃは、薄膜トランジスタＴＲに接続される。
ストレージキャパシタＣｓｔは、液晶キャパシタＣｌｃに並列接続される。
ストレージキャパシタＣｓｔは、必要によって省略することができる。
【００２２】
薄膜トランジスタＴＲは、下部基板１１０に具備される。
薄膜トランジスタＴＲは、３端子素子として、制御端、一端、及び他端を有する。
薄膜トランジスタＴＲの制御端は第１ゲートラインＧＬ１と接続され、一端は第１データラインＤＬ１と接続され、他端は液晶キャパシタＣｌｃ及びストレージキャパシタＣｓｔと接続される。
液晶キャパシタＣｌｃは、下部基板１１０に具備された画素電極ＰＥと上部基板１２０に具備された共通電極ＣＥとを２つの端子とし、画素電極ＰＥと共通電極ＣＥの間の液晶層１３０は誘電体として機能する。
【００２３】
画素電極ＰＥは、薄膜トランジスタＴＲと接続され、共通電極ＣＥは上部基板１２０に全面的に形成され、共通電圧を受信する。
図２とは異なりに共通電極ＣＥが下部基板１１０に具備される場合もあり、この時には画素電極ＰＥと共通電極ＣＥの中の少なくとも１つがスリットを具備し得る。
ストレージキャパシタＣｓｔは、液晶キャパシタＣｌｃの補助的な役割をし、画素電極ＰＥ、ストレージライン（図示せず）、画素電極ＰＥとストレージライン（図示せず）との間に配置された絶縁体を含む。
ストレージライン（図示せず）は、下部基板１１０に具備されて画素電極ＰＥの一部と重畳する。
ストレージライン（図示せず）にはストレージ電圧と同一の一定な電圧が印加される。
【００２４】
画素ＰＸは、主要色（ｐｒｉｍａｒｙ  ｃｏｌｏｒ）の中の１つを表示する。
主要色は、レッド、グリーン、ブルー、及びホワイトを含む。
一方、これに制限されることではなく、主要色は、イエロー、シアン、マゼンタ等多様な色相をさらに含むことができる。
画素ＰＸは、主要色の中の１つを示すカラーフィルターＣＦをさらに含む。
図２にはカラーフィルターＣＦが上部基板１２０に具備されたことを一例として示したが、これに制限されることではなく、カラーフィルターＣＦは下部基板１１０に具備することもできる。
【００２５】
タイミングコントローラ２００は、外部のグラフィック制御部（図示せず）から入力映像信号ＲＧＢ及び制御信号を受信する。
制御信号は、フレーム区別信号である垂直同期信号（以下、‘Ｖｓｙｎｃ信号’と称する）、行区別信号である水平同期信号（以下、‘Ｈｓｙｎｃ信号’と称する）、及びメインクロック信号ＭＣＬＫを含む。
タイミングコントローラ２００は、ゲート制御信号ＧＳ１及びデータ制御信号ＤＳ１を生成する。
タイミングコントローラ２００は、ゲート制御信号ＧＳ１をゲートドライバー３００に出力し、データ制御信号ＤＳ１をデータドライバー４００に出力する。
ゲート制御信号ＧＳ１は、ゲートドライバー３００を駆動するための信号であり、データ制御信号ＤＳ１は、データドライバー４００を駆動するための信号である。
【００２６】
ゲートドライバー３００は、ゲート制御信号ＧＳ１に基づいてゲート信号を生成し、ゲート信号をゲートライン（ＧＬ１〜ＧＬｍ）に出力する。
ゲート制御信号ＧＳ１は、走査開始を指示する走査開始信号とゲートオン電圧の出力周期を制御する少なくとも１つのクロック信号、及びゲートオン電圧の持続時間を限定する出力イネーブル信号を含む。
【００２７】
データドライバー４００は、データ制御信号ＤＳ１に基づいて変調された入力映像信号ＤＡＴＡに応じる階調電圧を生成し、これをデータ電圧にデータライン（ＤＬ１〜ＤＬｎ）に出力する。
データ電圧は、共通電圧に対して正の値を有する正極性データ電圧と負の値を有する負極性データ電圧とを含む。
データ制御信号ＤＳ１は、変調された入力映像信号ＤＡＴＡがデータドライバー４００に伝送されることの開始を知らせる水平開始信号ＳＴＨ、データライン（ＤＬ１〜ＤＬｎ）にデータ電圧を印加するロード信号、及び共通電圧に対してデータ電圧の極性を反転させる極性信号を含む。
【００２８】
タイミングコントローラ２００、ゲートドライバー３００、及びデータドライバー４００の各々は、少なくとも１つの集積回路チップの形態に表示パネル１００に直接装着するか、可撓性印刷回路基板（ｆｌｅｘｉｂｌｅ  ｐｒｉｎｔｅｄ  ｃｉｒｃｕｉｔ  ｂｏａｒｄ）上に装着されてＴＣＰ（ｔａｐｅ  ｃａｒｒｉｅｒ  ｐａｃｋａｇｅ）の形態に表示パネル１００に付着するか、或いは別の印刷回路基板（ｐｒｉｎｔｅｄ  ｃｉｒｃｕｉｔ  ｂｏａｒｄ）上に装着することができる。
これとは異なり、ゲートドライバー３００及びデータドライバー４００の中の少なくとも１つは、ゲートライン（ＧＬ１〜ＧＬｍ）、データライン（ＤＬ１〜ＤＬｎ）、及び薄膜トランジスタＴＲと共に表示パネル１００に集積されてもよい。
また、タイミングコントローラ２００、ゲートドライバー３００、及びデータドライバー４００は、単一チップに集積することができる。
【００２９】
図３は、図１のタイミングコントローラとデータドライバーとの構成を示すブロック図である。
図３を参照すると、データドライバー４００は、第１〜第ｎデータドライバー（４１０、４２０、…、４３０）を含む。
表示装置は、タイミングコントローラ２００とデータドライバー（４１０、４２０、…、４３０）とを接続する高速駆動ラインＬＮＨ及び低速駆動ラインＬＮＬをさらに含む。
高速駆動ラインＬＮＨと低速駆動ラインＬＮＬとは互いに異なるインターフェイスによってデータを伝送する。
【００３０】
高速駆動ラインＬＮＨは、低速駆動ラインＬＮＬに比べてさらに高い伝送効率を有する。
高速駆動ラインＬＮＨは、データドライバー（４１０、４２０、…、４３０）と同一の数を有する高速駆動ライン（ＬＮＨ１〜ＬＮＨ３）を含む。
高速駆動ライン（ＬＮＨ１〜ＬＮＨ３）の各々は、タイミングコントローラ２００とデータドライバー（４１０〜４３０）との各々を接続する。
本発明の実施形態で、第１高速駆動ラインＬＮＨ１はタイミングコントローラ２００と第１データドライバー４１０とを接続し、第２高速駆動ラインＬＮＨ２はタイミングコントローラ２００と第２データドライバー４２０とを接続し、第３高速駆動ラインＬＮＨ３はタイミングコントローラ２００と第ｎデータドライバー４３０とを接続する。
したがって、タイミングコントローラ２００は、高速駆動ライン（ＬＮＨ１〜ＬＮＨ３）の各々を通じてデータドライバー（４１０〜４３０）の各々に信号を個別的に伝送する。
【００３１】
低速駆動ラインＬＮＬは、タイミングコントローラ２００とデータドライバー（４１０〜４３０）とを接続する。
低速駆動ラインＬＮＬは、データドライバー（４１０〜４３０）に共通接続されるので、タイミングコントローラ２００から低速駆動ラインＬＮＬを通じて伝送された信号はデータドライバー（４１０〜４３０）に同様に伝達される。
以降、データドライバー４００と記した場合、複数のデータドライバー（４１０〜４３０）を含むものとする。
【００３２】
図４は、本発明の実施形態に係る動作シークェンスを示す図である。
図１、図３、及び図４には２つのフレームの間に伝送されるデータを示すフレーム駆動シークェンス、水平駆動区間の間に高速駆動ラインを通じて伝送されるデータを示す高速駆動ライン伝送シークェンス、及び水平駆動区間の間に低速駆動ラインを通じて伝送されるデータを示す低速駆動ライン伝送シークェンスを示す。
【００３３】
１つのフレームは、垂直駆動区間（Ｖ＿Ｄｒ）と垂直ブランク区間（Ｖ＿Ｂｌａｎｋ）とに分ける。
垂直駆動区間（Ｖ＿Ｄｒ）の間に１つのフレームに該当する映像信号がラインデータ単位に出力される。
図４にはｍ個のラインデータが順次に出力されることを例示的に示す。
垂直ブランク区間（Ｖ＿Ｂｌａｎｋ）は１つのフレームに該当する映像信号が出力された後、次のフレームに該当する映像信号が出力される前まで映像信号が印加されない区間である。
【００３４】
ラインデータの各々は、水平駆動区間１Ｈの間に出力される。
高速駆動ライン伝送シークェンスは、ｎ番目のラインデータＬＤが伝送される水平駆動区間１Ｈを拡大して示した。
ｎ番目のラインデータＬＤが伝送される水平駆動区間１Ｈの間にタイミングコントローラ２００は、高速駆動ライン（ＬＮＨ１〜ＬＮＨ３）を通じてライン開始信号ＳＯＬ及びｎ番目のラインデータＬＤを順次に出力する。
以後、次の水平駆動区間が開始する前まで水平ブランク区の間に（Ｈ＿Ｂｌａｎｋ）が維持される。
水平ブランク区間（Ｈ＿Ｂｌａｎｋ）は、ライン開始信号ＳＯＬ及びラインデータＬＤが印加されない区間である。
【００３５】
データ制御信号ＤＳ１は、ライン設定信号ＬＣＦとフレーム設定信号とを含む。
ライン設定信号ＬＣＦは、ラインデータＬＤをデータ電圧に出力する時、必要であるデータドライバー４００の設定情報を含む。
フレーム設定信号は、１つのフレームに該当する映像信号をデータ電圧に出力する時、必要であるデータドライバー４００の設定情報を含む。
タイミングコントローラ２００は、ラインデータが出力される時毎にライン設定信号ＬＣＦを出力し、１つのフレームに該当する映像信号が出力される時毎にフレーム設定信号を出力する。
タイミングコントローラ２００は、低速駆動ラインＬＮＬを通じてライン設定信号ＬＣＦを出力する。
【００３６】
図４で低速駆動ライン伝送シークェンスは、ｎ番目のラインデータＬＤが印加される区間と重畳する区間の間に印加される（ｎ＋１）番目のライン設定信号ＬＣＦを示した。
ｎ番目のライン設定信号は、ｎ番目のラインデータＬＤをデータ電圧に出力する時、必要であるデータドライバー４００の設定情報を含み、（ｎ＋１）番目のライン設定信号ＬＣＦは（ｎ＋１）番目のラインデータをデータ電圧に出力する時、必要であるデータドライバー４００の設定情報を含む。
（ｎ＋１）番目のライン設定信号ＬＣＦは、（ｎ＋１）番目のラインデータが伝送される前に出力されなければならないので、（ｎ＋１）番目のライン設定信号ＬＣＦは、ｎ番目のラインデータＬＤが出力される区間と重畳するように出力されるか、或いはｎ番目のラインデータＬＤが出力される区間の前に出力される。
本実施形態では、（ｎ＋１）番目のライン設定信号ＬＣＦは、ｎ番目のラインデータＬＤが出力される区間と重畳するように出力されることを例示的に示した。
【００３７】
本発明の一実施形態に係る表示装置の駆動方法によれば、タイミングコントローラ２００が低速駆動ラインＬＮＬを通じてライン設定信号を伝送することによって、高速駆動ラインＬＮＨのスループット（ｔｈｒｏｕｇｈｐｕｔ）が改善される。
また、高速駆動ラインＬＮＨの帯域幅（ｂａｎｄｗｉｄｔｈ）が向上されて、伝送速度を低下させても目標データ量を伝送できるので、伝送速度改善に応じる消費電力が改善される。
【００３８】
図５は、本発明の第１の実施形態に係る表示装置で、フレームの間に高速駆動ラインと低速駆動ラインとに印加されるデータを示す図である。
図３〜図５を参照すると、タイミングコントローラ２００は、垂直駆動区間（Ｖ＿Ｄｒ）間高速駆動ラインＬＮＨを通じてデータドライバー４００に映像信号をラインデータ単位に伝送する。
図５に、ｍ個のラインデータ（ＬＤ＿１〜ＬＤ＿ｍ）が１つのフレームに該当する映像信号を構成することを示す。
【００３９】
タイミングコントローラ２００は、垂直ブランク区間（Ｖ＿Ｂｌａｎｋ）の間に高速駆動ラインＬＮＨを通じてデータドライバー４００にフレーム設定信号ＦＣＦを伝送する。
タイミングコントローラ２００は、低速駆動ラインＬＮＬを通じてライン設定信号（ＬＣＦ＿１〜ＬＣＦ＿ｍ）をデータドライバー４００に伝送する。
ｎ番目のライン設定信号は、ｎ番目のラインデータをデータ電圧に出力する時、必要であるデータドライバー４００の設定情報を含み、（ｎ＋１）番目のライン設定信号は、（ｎ＋１）番目のラインデータをデータ電圧に出力する時、必要であるデータドライバー４００の設定情報を含む。
【００４０】
（ｎ＋１）番目のライン設定信号は、（ｎ＋１）番目のラインデータが伝送される前に出力されなければならないので、（ｎ＋１）番目のライン設定信号は、ｎ番目のラインデータが出力される区間と重畳するように出力される。
図５で、第２ライン設定信号（ＬＣＦ＿２）は、第１ラインデータ（ＬＤ＿１）が出力される水平駆動区間１Ｈと重畳するように出力される。
同様に、ｍ番目のライン設定信号（ＬＣＦ＿ｍ）は、（ｍ−１）番目のラインデータ（ＬＤ＿ｍ−１）が出力される水平駆動区間と重畳するように出力される。
【００４１】
データドライバー４００は、低速駆動ラインＬＮＬを通じてリンク状態信号ＬＳＳをタイミングコントローラ２００に伝送する。
リンク状態信号ＬＳＳは、タイミングコントローラ２００とデータドライバー４００とのリンク状態情報を有するフィードバック信号である。
例えば、タイミングコントローラ２００とデータドライバー４００とのリンクが正常である場合、リンク状態信号ＬＳＳはハイレベルを有し、タイミングコントローラ２００とデータドライバー４００とのリンクが正常でない場合、リンク状態信号ＬＳＳはローレベルを有する。
【００４２】
リンク状態信号ＬＳＳは、ライン設定信号（ＬＣＦ＿１〜ＬＣＦ＿ｍ）の各々がデータドライバー４００に伝送された直後に伝送される。
言い換えれば、リンク状態信号ＬＳＳは、連続的な２つのライン設定信号（ＬＣＦ＿１、ＬＣＦ＿２）が印加される区間の間に伝送される。
リンク状態信号ＬＳＳは、現在ラインデータ（例えば、（ｍ−１）番目のラインデータ（ＬＤ＿ｍ−１））が伝送される区間と重畳する区間の間に印加されるライン設定信号（例えば、ｍ番目のライン設定信号（ＬＣＦ＿ｍ））が印加された後、次のラインデータ（例えば、ｍ番目のラインデータ（ＬＤ＿ｍ））が印加される前に伝送される。
【００４３】
図６は、図５で１つの水平駆動区間とその隣接する区間との間に高速駆動ラインと低速駆動ラインとに印加されるデータを示す図である。
図６には第１ラインデータ（ＬＤ＿１）が伝送される水平駆動区間１Ｈとその隣接する区間とを例示的に示した。
図６を参照すると、ライン開始信号ＳＯＬが出力され、第１ラインデータ（ＬＤ＿１）が出力される。
【００４４】
ライン開始信号ＳＯＬ及び第１ラインデータ（ＬＤ＿１）は、高速駆動ラインＬＮＨの通信プロトコルによって設定されたラインセグメント単位に伝送される。
１つのラインセグメントは、割り当てられたラインセグメント区間Ｔの間に伝送される。
図６で第１ラインデータ（ＬＤ＿１）は、ｗ個（ｗは自然数）のラインセグメント（ＤＡＴＡ＿１〜ＤＡＴＡ＿ｗ）を含むことを例示的に示した。
第２ライン設定信号（ＬＣＦ＿２）は、低速駆動ラインＬＮＬの通信プロトコルによって設定されたライン設定セグメント単位に伝送される。
図６で第２ライン設定信号（ＬＣＦ＿２）は、ｊ個（ｊは自然数）のライン設定セグメント（Ｃｏｎｆ＿１〜Ｃｏｎｆ＿ｊ）を含むことを例示的に示した。
１つのライン設定セグメントは、ｓ個（ｓはｗ未満の自然数）のラインセグメントに同期されて伝送される。
図６で、第１ライン設定セグメント（Ｃｏｎｆ＿１）は、第１〜第ｎラインセグメント（ＤＡＴＡ＿１〜ＤＡＴＡ＿ｎ）に同期されて伝送される。
第１ライン設定セグメントＣｏｎｆ＿１はｓｘＴとして定義される割当されたライン設定セグメント区間の間に伝送される。
【００４５】
図４〜図６を参照すると、タイミングコントローラ２００は、ライン設定信号ＬＣＦのライン設定セグメント（Ｃｏｎｆ＿１〜Ｃｏｎｆ＿ｊ）の各々をラインデータＬＤのラインセグメント（ＤＡＴＡ＿１〜ＤＡＴＡ＿ｗ）の各々のｎ倍に同期して伝送することによって、ライン設定信号ＬＣＦのタイミングを制御するための別のクロック信号を必要としない。
したがって、本発明の一実施形態に係る表示装置によれば、高速駆動ラインＬＮＨの帯域幅（ｂａｎｄ  ｗｉｄｔｈ）を向上させて高速駆動ラインＬＮＨの伝送効率を向上させる。
【００４６】
図７は、本発明の第２の実施形態に係る表示装置で、フレームの間に高速駆動ラインと低速駆動ラインとに印加されるデータを示す図であり、図８は、図７で１つの水平駆動区間とその隣接する区間の間に高速駆動ラインと低速駆動ラインとに印加されるデータを示す図である。
図８には第１ラインデータ（ＬＤ＿１）が伝送される水平駆動区間１Ｈとその隣接する区間とを例示的に示す。
図７及び図８を参照して説明する表示装置の駆動方法は、図５及び図６を参照して説明した表示装置の駆動方法との差異点を中心に説明し、説明しない部分は図５及び図６と関連した説明にしたがう。
【００４７】
図３、図７、及び図８を参照すると、タイミングコントローラ２００は、受信したライン設定信号をコーディングしてハイレベルとローレベルとを有するコーディングライン設定信号（ＬＣＣ＿１〜ＬＣＣ＿ｍ）を生成する。
タイミングコントローラ２００は、コーディングライン設定信号（ＬＣＣ＿１〜ＬＣＣ＿ｍ）を低速駆動ラインＬＮＬを通じてデータドライバー４００に伝送する。
【００４８】
タイミングコントローラ２００は、コーディングライン設定信号（ＬＣＣ＿１〜ＬＣＣ＿ｍ）を通じてデータドライバー４００とのリンク状態情報をセンシングする。
データドライバー４００は、別のリンク状態信号をタイミングコントローラ２００に伝送しない。
したがって、低速駆動ラインＬＮＬを通じてコーディングライン設定信号（ＬＣＣ＿１〜ＬＣＣ＿ｍ）は連続的に出力される。
コーディングライン設定信号（ＬＣＣ＿１〜ＬＣＣ＿ｍ）の各々に含まれた１つのライン設定セグメントは、ｓ個のラインセグメントに同期されて伝送される。
【００４９】
データドライバー４００は、タイミングコントローラ２００とリンクエラーが発生する時、タイミングに関わらず第１レベル（例えば、ローレベル）を有する信号を低速駆動ラインＬＮＬを通じて伝送する。
例えば、データドライバー４００は、リンクエラーが発生する時、低速駆動ラインＬＮＬに接続された端子を接地（ローレベル出力の時）するか、プルアップ回路に接続（ハイレベル出力の時）する。
【００５０】
タイミングコントローラ２００は、低速駆動ラインＬＮＬを通じてコーディングライン設定信号（ＬＣＣ＿１〜ＬＣＣ＿ｍ）を伝送する中にコーディングライン設定信号（ＬＣＣ＿１〜ＬＣＣ＿ｍ）が第２レベル（例えば、ハイレベル）を有する区間にも第１レベル（例えば、ローレベル）がセンシングされれば、リンクエラーとして判断する。
したがって、コーディングライン設定信号ＬＣＣは、ライン設定信号ＬＣＦのレベルに関わらず、第２レベル（例えば、ハイレベル）を有しなければならない。
コーディングライン設定信号ＬＣＣは、ライン設定信号ＬＣＦと同一の情報を有し、第２レベル（例えば、ハイレベル）を有する多様な方式によってコーディングされる。
【００５１】
図９は、本発明の一実施形態に係る、メインクロック信号ＭＣＬＫ、ライン設定信号ＬＣＦ、及びコーディングライン設定信号ＬＣＣを示す波形図である。
図９を参照してコーディングライン設定信号ＬＣＣをコーディングする様々な方式の中で１つを例示的に説明する。
【００５２】
タイミングコントローラ２００は、メインクロック信号ＭＣＬＫとライン設定信号ＬＣＦとをＸＯＲ演算してコーディングライン設定信号ＬＣＣを生成する。
ライン設定信号ＬＣＦがハイレベルを有する区間Ｐ１の間にコーディングライン設定信号ＬＣＣはハイレベルとローレベルとの両方を有し、ライン設定信号ＬＣＦがローレベルを有する区間Ｐ２の間にコーディングライン設定信号ＬＣＣはハイレベルとローレベルとの両方を有する。
したがって、コーディングライン設定信号ＬＣＣは、ライン設定信号ＬＣＦに関わらず、ハイレベルとローレベルとの両方を有する。
データドライバー４００は、リンクエラーが発生する時、低速駆動ラインＬＮＬにローレベルを有する信号を伝送する場合、タイミングコントローラ２００はコーディングライン設定信号ＬＣＣがハイレベルを有する区間の入力波形を感知してリンク状態をセンシングする。
【００５３】
図７〜図９を参照して説明した表示装置の駆動方法によれば、データドライバー４００で別のリンク状態信号をタイミングコントローラ２００に伝送しなくとも、タイミングコントローラ２００はコーディングライン設定信号ＬＣＣに基づいてリンク状態をセンシングすることができる。
【００５４】
図１０は、本発明の第３の実施形態に係る表示装置で、フレームの間に高速駆動ラインと低速駆動ラインとに印加されるデータを示す図であり、図１１は、本発明の第４の実施形態に係る表示装置で、フレームの間に高速駆動ラインと低速駆動ラインとに印加されるデータを示す図である。
図１０及び図１１を参照して説明する表示装置の駆動方法は、図５を参照して説明した表示装置の駆動方法との差異点を中心に説明し、説明しない部分は図５と関連した説明にしたがう。
【００５５】
図１０を参照すると、タイミングコントローラ２００は、低速駆動ラインＬＮＬを通じてデータドライバー４００にフレーム設定信号ＦＣＦを伝送する。
フレーム設定信号ＦＣＦは、垂直ブランク区間（Ｖ＿Ｂｌａｎｋ）と重畳する区間の間に伝送される。
フレーム設定信号ＦＣＦは、図１０に示すように垂直ブランク区間（Ｖ＿Ｂｌａｎｋ）内に伝送され、これとは異なって、垂直ブランク区間（Ｖ＿Ｂｌａｎｋ）及びｍ番目のラインデータ（ＬＤ＿ｍ）が出力される区間と重畳するように伝送することもできる。
【００５６】
図１１を参照すると、フレーム設定信号は、第１フレーム設定信号ＦＣＦ１及び第２フレーム設定信号ＦＣＦ２を含む。
第１フレーム設定信号ＦＣＦ１は、１つのフレームに該当する映像信号をデータ電圧に出力する時、必要であるデータドライバー４００の設定情報の一部を有し、第２フレーム設定信号ＦＣＦ２は設定情報のその他の部分を有する。
タイミングコントローラ２００は、垂直ブランク区間（Ｖ＿Ｂｌａｎｋ）の間に高速駆動ラインＬＮＨを通じてデータドライバー４００に第１フレーム設定信号ＦＣＦ１を伝送する。
タイミングコントローラ２００は、低速駆動ラインＬＮＬを通じてデータドライバー４００に第２フレーム設定信号ＦＣＦ２を伝送する。
第２フレーム設定信号ＦＣＦ２は、垂直ブランク区間（Ｖ＿Ｂｌａｎｋ）と重畳する区間の間に伝送される。
第２フレーム設定信号ＦＣＦ２は、図１１に示すように垂直ブランク区間（Ｖ＿Ｂｌａｎｋ）内に伝送され、これとは異なって、垂直ブランク区間（Ｖ＿Ｂｌａｎｋ）及びｍ番目のラインデータ（ＬＤ＿ｍ）が出力される区間と重畳するように伝送することもできる。
【００５７】
図１２は、本発明の第５の実施形態に係る表示装置で、フレームの間に高速駆動ラインと低速駆動ラインとに印加されるデータを示す図である。
図１２を参照して説明する表示装置の駆動方法は、図５を参照して説明した表示装置の駆動方法との差異点を中心に説明し、説明しない部分は図５と関連した説明にしたがう。
【００５８】
図１２を参照すると、ライン設定信号は、高速ライン設定信号（ＬＣＦ＿１１〜ＬＣＦ＿ｍ１）及び低速ライン設定信号（ＬＣＦ＿１２〜ＬＣＦ＿ｍ２）を含む。
高速ライン設定信号（ＬＣＦ＿１１〜ＬＣＦ＿ｍ１）の中の１つは、１つのラインデータをデータ電圧に出力する時、必要であるデータドライバー４００の設定情報の一部を有し、低速ライン設定信号（ＬＣＦ＿１２〜ＬＣＦ＿ｍ２）の中の１つは、設定情報のその他の部分を有する。
例えば、第１高速ライン設定信号（ＬＣＦ＿１１）と第１低速ライン設定信号（ＬＣＦ＿１２）とは第１ラインデータ（ＬＤ＿１）を出力する時、必要であるデータドライバー４００の設定情報を含む。
【００５９】
タイミングコントローラ２００は、高速駆動ラインＬＮＨを通じて高速ライン設定信号（ＬＣＦ＿１１〜ＬＣＦ＿ｍ１）を出力する。
１つの水平駆動区間１Ｈ内でタイミングコントローラ２００は、第１高速ライン設定信号（ＬＣＦ＿１１）を第１ラインデータ（ＬＤ＿１）より先に伝送する。
タイミングコントローラ２００は、低速駆動ラインＬＮＬを通じて低速ライン設定信号（ＬＣＦ１２〜ＬＣＦｍ２）を伝送する。
第１低速ライン設定信号（ＬＣＦ＿１２）は、第１ラインデータ（ＬＤ＿１）が出力される水平駆動区間１Ｈより先に伝送される。
第２低速ライン設定信号（ＬＣＦ＿２２）は、第１ラインデータ（ＬＤ＿１）が出力される区間と重畳するように出力される。
【００６０】
図１２を参照して説明した表示装置の駆動方法によれば、タイミングコントローラ２００でライン設定信号の一部（データドライバー４００の設定情報の一部を含む高速ライン設定信号）を高速駆動ラインＬＮＨに伝送し、ライン設定信号の残りの部分（データドライバー４００の設定情報のその他の部分を含む低速ライン設定信号）を低速駆動ラインＬＮＬに伝送して、高速駆動ラインＬＮＨの伝送効率を向上させることができる。
【００６１】
図１３は、本発明の第１の実施形態に係る表示装置の駆動方法を説明するためのフローチャートである。
図１、図４〜図６、及び図１３を参照すると、本発明の第１の実施形態に係る表示装置の駆動方法は、タイミングコントローラ２００で、複数の高速駆動ラインＬＮＨを通じて映像信号ＲＧＢを複数のデータドライバー（４１０〜４３０）からなるデータドライバー４００に伝送する段階（ステップＳ１１０）と、タイミングコントローラ２００で、低速駆動ラインＬＮＬを通じてライン設定信号ＬＣＦを複数のデータドライバー（４１０〜４３０）に伝送する段階（ステップＳ１２０）と、データドライバー４００でライン設定信号ＬＣＦに基づいて映像信号ＲＧＢに対応するデータ電圧を表示パネル１００に提供する段階（ステップＳ１３０）と、表示パネル１００でデータ電圧に対応する映像を表示する段階（ステップＳ１４０）と、を含む。
ステップ（Ｓ１１０、Ｓ１２０、Ｓ１３０、Ｓ１４０）は、図１〜図６を参照して説明したので、具体的な説明は省略する。
【００６２】
図１４は、本発明の第２の実施形態に係る表示装置の駆動方法を説明するためのフローチャートである。
図３、図４〜図６、及び図１４を参照すると、本発明の第２の実施形態に係る表示装置の駆動方法は、タイミングコントローラ２００で、複数の高速駆動ラインＬＮＨを通じて映像信号ＲＧＢを複数のデータドライバー（４１０〜４３０）からなるデータドライバー４００に伝送する段階（ステップＳ２１０）と、タイミングコントローラ２００で、低速駆動ラインＬＮＬを通じてライン設定信号ＬＣＦを複数のデータドライバー（４１０〜４３０）に伝送する段階（ステップＳ２２０）と、低速駆動ラインＬＮＬを通じてリンク状態信号ＬＳＳをタイミングコントローラ２００に提供する段階（ステップＳ２２５）と、データドライバー４００でライン設定信号ＬＣＦに基づいて映像信号ＲＧＢに対応するデータ電圧を表示パネル１００に提供する段階（ステップＳ２３０）と、表示パネル１００でデータ電圧に対応する映像を表示する段階（ステップＳ２４０）と、を含む。
図１４に示した表示装置の駆動方法は、図１３に示した表示装置の駆動方法に比べてステップＳ２２５に差異がある。
ステップＳ２２５は、図５及び図６を参照して説明したので、具体的な説明は省略する。
【００６３】
図１５は、本発明の第３の実施形態に係る表示装置の駆動方法を説明するためのフローチャートである。
図３、図４〜図６、及び図１５を参照すると、本発明の第３の実施形態に係る表示装置の駆動方法は、タイミングコントローラ２００で、複数の高速駆動ラインＬＮＨを通じて映像信号ＲＧＢ及びフレーム設定信号ＦＣＦを複数のデータドライバー（４１０〜４３０）からなるデータドライバー４００に伝送する段階（ステップＳ３１０）と、タイミングコントローラ２００で、低速駆動ラインＬＮＬを通じてライン設定信号ＬＣＦを複数のデータドライバー（４１０〜４３０）に伝送する段階（ステップＳ３２０）と、データドライバー４００でフレーム設定信号ＦＣＦ及びライン設定信号ＬＣＦに基づいて映像信号ＲＧＢに対応するデータ電圧を表示パネル１００に提供する段階（ステップＳ３３０）と、表示パネル１００でデータ電圧に対応する映像を表示する段階（ステップＳ３４０）と、を含む。
図１５に示した表示装置の駆動方法は、図１３に示した表示装置の駆動方法に比べてステップＳ３１０及びステップＳ３３０に差異がある。
ステップＳ３１０及びステップＳ３３０は、図５を参照して説明したので、具体的な説明は省略する。
【００６４】
図１６は、本発明の第４の実施形態に係る表示装置の駆動方法を説明するためのフローチャートである。
図３、図４、図１０、及び図１６を参照すると、本発明の第４の実施形態に係る表示装置の駆動方法は、タイミングコントローラ２００で、複数の高速駆動ラインＬＮＨを通じて映像信号ＲＧＢを複数のデータドライバー（４１０〜４３０）からなるデータドライバー４００に伝送する段階（ステップＳ４１０）と、タイミングコントローラ２００で、低速駆動ラインＬＮＬを通じてフレーム設定信号ＦＣＦ及びライン設定信号ＬＣＦを複数のデータドライバー（４１０〜４３０）に伝送する段階（ステップＳ４２０）と、データドライバー４００でフレーム設定信号ＦＣＦ及びライン設定信号ＬＣＦに基づいて映像信号ＲＧＢに対応するデータ電圧を表示パネル１００に提供する段階（ステップＳ４３０）と、表示パネル１００でデータ電圧に対応する映像を表示する段階（ステップＳ４４０）と、を含む。
図１６に示した表示装置の駆動方法は、図１３に示した表示装置の駆動方法に比べてステップＳ４２０及びステップＳ４３０に差異がある。
ステップＳ４２０及びステップＳ４３０は、図１０を参照して説明したので、具体的な説明は省略する。
【００６５】
図１７は、本発明の第５の実施形態に係る表示装置の駆動方法を説明するためのフローチャートである。
図３、図４、図１１、及び図１７を参照すると、本発明の第５の実施形態に係る表示装置の駆動方法は、タイミングコントローラ２００で、複数の高速駆動ラインＬＮＨを通じて映像信号ＲＧＢ及びフレーム設定信号ＦＣＦの一部を複数のデータドライバー（４１０〜４３０）からなるデータドライバー４００に伝送する段階（ステップＳ５１０）と、タイミングコントローラ２００で、低速駆動ラインＬＮＬを通じてライン設定信号ＬＣＦ及びフレーム設定信号ＦＣＦのその他の部分を複数のデータドライバー（４１０〜４３０）に伝送する段階（ステップＳ５２０）と、データドライバー４００でフレーム設定信号ＦＣＦ及びライン設定信号ＬＣＦに基づいて映像信号ＲＧＢに対応するデータ電圧を表示パネル１００に提供する段階（ステップＳ５３０）と、表示パネル１００でデータ電圧に対応する映像を表示する段階（ステップＳ５４０）と、を含む。
図１７に示した表示装置の駆動方法は、図１３に示した表示装置の駆動方法に比べてステップＳ５１０、ステップＳ５２０、及びステップＳ５３０に差異がある。
ステップＳ５１０、Ｓ５２０、及びＳ５３０は、図１１を参照して説明したので、具体的な説明は省略する。
【００６６】
図１８は、本発明の第６の実施形態に係る表示装置の駆動方法を説明するためのフローチャートである。
図３、図４、図１２、及び図１８を参照すると、本発明の第６の実施形態に係る表示装置の駆動方法は、タイミングコントローラ２００で、複数の高速駆動ラインＬＮＨを通じて映像信号ＲＧＢ及びライン設定信号ＬＣＦの一部を複数のデータドライバー（４１０〜４３０）からなるデータドライバー４００に伝送する段階（ステップＳ６１０）と、
タイミングコントローラ２００で、低速駆動ラインＬＮＬを通じてライン設定信号ＬＣＦのその他の部分をデータドライバー４００に伝送する段階（ステップＳ６２０）と、データドライバー４００でライン設定信号ＬＣＦに基づいて映像信号ＲＧＢに対応するデータ電圧を表示パネル１００に提供する段階（ステップＳ６３０）と、表示パネル１００でデータ電圧に対応する映像を表示する段階（ステップＳ６４０）と、を含む。
図１８に示した表示装置の駆動方法は、図１３に示した表示装置の駆動方法に比べてステップＳ６１０及びステップＳ６２０に差異がある。
ステップＳ６１０及びステップＳ６２０は、図１２を参照して説明したので、具体的な説明は省略する。
【００６７】
尚、本発明は、上述の実施形態に限られるものではない。本発明の技術的範囲から逸脱しない範囲内で多様に変更実施することが可能である。
【符号の説明】
【００６８】
１００    表示パネル
１１０    下部基板
１２０    上部基板
１３０    液晶層
２００    タイミングコントローラ
３００    ゲートドライバー
４００（４１０〜４３０）    データドライバー（（第１〜第ｎ）データドライバー）
１０００    表示装置
ＬＮＨ（ＬＮＨ１〜ＬＮＨ３）    高速駆動ライン（第１〜第ｎ高速駆動ライン）
ＬＮＬ    低速駆動ライン
【図１】
2018072829.tif 000003
【図２】
2018072829.tif 000004
【図３】
2018072829.tif 000005
【図４】
2018072829.tif 000006
【図５】
2018072829.tif 000007
【図６】
2018072829.tif 000008
【図７】
2018072829.tif 000009
【図８】
2018072829.tif 000010
【図９】
2018072829.tif 000011
【図１０】
2018072829.tif 000012
【図１１】
2018072829.tif 000013
【図１２】
2018072829.tif 000014
【図１３】
2018072829.tif 000015
【図１４】
2018072829.tif 000016
【図１５】
2018072829.tif 000017
【図１６】
2018072829.tif 000018
【図１７】
2018072829.tif 000019
【図１８】
2018072829.tif 000020